(57)【要約】      （修正有）【課題】掛け布団が頻繁に動く使用条件下であっても、通常の使用状態では装着されている掛け布団から簡単には外れない衿カバーを提供する。【解決手段】衿カバー１０は、上辺部１３、側辺部１４，１５、下辺部１６を有する長方形の２枚の布地が重ね合わされた状態に構成されている。２枚の布地の上辺部１３は連設されている。２枚の布地の一方は、表面側衿カバー１１として使用され、他方は裏面側衿カバー１２として使用される。上辺部１３の長さの値は、装着対象である掛け布団の幅Ｌよりも短い長さの値に選ばれている。衿カバー１０の下半分側の領域の両側辺部１４，１５には、端部が表裏の布地の側辺部に固定されている平ゴム２１〜２４が配設されている。平ゴム２１〜２４の各々の長さは、掛け布団１の側辺部を巡る２枚の布地の側辺部間の最短距離Ｄよりも短い長さに選ばれている。【選択図】図２
0003211684.tif 000002
【実用新案登録請求の範囲】
【請求項１】
同じ大きさの長方形の布地が２枚重ね合わされた状態で、その長方形の２枚の布地の上辺部が連設されている構成であり、一方の前記長方形の布地が装着対象である掛け布団の上縁部の表面側を密着した状態で覆う表面側衿カバーとなり、他方の前記長方形の布地が前記掛け布団の上縁部の裏面側を密着した状態で覆う裏面側衿カバーとなる掛け布団の衿カバーであって、
前記長方形の前記表面側衿カバーおよび前記裏面側衿カバーの前記上辺部の長さの値は、前記装着対象である掛け布団の上辺部の長さの値よりも小さい値に選ばれており、
前記長方形の前記表面側衿カバーおよび前記裏面側衿カバーの下半分側に位置する領域の両側辺部のそれぞれには、当該側辺部の前記表面側衿カバーと前記裏面側衿カバーとの相対向している部分に端部がそれぞれ固定されている平ゴムが１本または並列状態で複数本配設され、
前記平ゴムの長さの値は、前記衿カバーの上辺部の中央が前記装着対象である掛け布団の上辺部の中央に一致するように前記衿カバーを前記掛け布団に装着した状態で、前記表面側衿カバーの側辺部の前記平ゴムの一端が固定されている部分から前記掛け布団の側辺部を巡って前記裏面側衿カバーの側辺部の当該平ゴムの他端が固定されている部分に至る最短距離の値よりも小さい値に選ばれていることを特徴とする掛け布団の衿カバー。
【請求項２】
前記表面側衿カバーおよび前記裏面側衿カバーの両側辺部のそれぞれに配設されている１本または並列状態で配設されている複数本の前記平ゴムのうち、少なくとも１本の前記平ゴムは、前記長方形の前記表面側衿カバーおよび前記裏面側衿カバーの下辺部付近に配設されていることを特徴とする請求項１に記載の掛け布団の衿カバー。
【考案の詳細な説明】
【技術分野】
【０００１】
本考案は、寝具である掛け布団の上縁部に装着される掛け布団の衿カバーに関するものである。
【背景技術】
【０００２】
寝具である掛け布団の特に汚れやすい上縁部のみを覆い、容易に着脱することができる掛け布団用の衿カバーは、既に商品化されており広く使用されている。
【０００３】
このような従来の掛け布団の衿カバーの構成を図４に示す。図４（ａ）は衿カバー１０を掛け布団１の上縁部に装着した状態を示す図であり、図４（ｂ）は衿カバー１０のみの平面構成を示した図である。
【０００４】
図４（ａ），（ｂ）において、衿カバー１０は、上辺部１３、側辺部１４，１５、下辺部１６を有する長方形の２枚の布地１１，１２を重ね合わせた状態で、上辺部１３と側辺部１４，１５とが連設された構成となっている。すなわち、従来の衿カバー１０は、下辺部１６が開口部となるような袋状に構成されている。
【０００５】
従来の衿カバー１０の上辺部１３の長さは装着対象である掛け布団１の上辺部の長さと略同じ長さに選ばれており、衿カバー１０の上辺部１３の両端部には切り欠き部１７，１８が設けられている。従って、図４（ａ）に示したように衿カバー１０を掛け布団１に装着した状態においては、掛け布団１の上縁部の両端の角の部分が衿カバー１０から露出するように従来の衿カバー１０は構成されている。
【０００６】
以上のように構成された従来の衿カバー１０を掛け布団１に装着する場合には、図５（ａ）に示したように、使用者は、掛け布団１の上縁部の一方の角の部分を片手Ｈ１で握って、他方の手Ｈ２で、この角の部分が切り欠き部１８から露出するように衿カバー１０の側辺部１４を掛け布団１の上縁部に被せる。次に、使用者は、図５（ｂ）に示したように同様の操作を行って、掛け布団１の上縁部の反対側の角が衿カバー１０の切り欠き部１７から露出するように掛け布団１の上縁部に衿カバー１０を被せる。以上のようにして、使用者は衿カバー１０を掛け布団１に装着することができる。
【０００７】
また、掛け布団１から衿カバー１０を外す場合には、使用者は、衿カバー１０の上辺部１３のみを手で握って、上方（下辺部１６から上辺部１３に向う方向）に引っ張れば、衿カバー１０を簡単に掛け布団１から外すことができる。
【考案の概要】
【考案が解決しようとする課題】
【０００８】
しかしながら、従来の衿カバー１０においては、前述したように掛け布団から簡単に外すことが出来るために、例えば、図６に示したように、ベッドＢ上に寝ている使用者Ｐの寝相が悪い場合には、使用者Ｐの就寝中に掛け布団１の上縁部が頻繁に動くことがあり、このようなときには、使用者Ｐの就寝中に衿カバー１０が掛け布団１から外れてしまい、衿カバー１０を掛け布団１に装着した意味が無くなってしまうという問題があった。
【０００９】
さらに、このような従来の衿カバー１０を、病院で使用する掛け布団のように治療行為の度に動かす必要がある掛け布団に使用した場合にも、掛け布団１が頻繁に動くために衿カバー１０が外れ易いという問題が生じていた。
【課題を解決するための手段】
【００１０】
以上の問題を解消するために本考案は、同じ大きさの長方形の布地が２枚重ね合わされた状態で、その長方形の２枚の布地の上辺部が連設されている構成であり、一方の前記長方形の布地が装着対象である掛け布団の上縁部の表面側を密着した状態で覆う表面側衿カバーとなり、他方の前記長方形の布地が前記掛け布団の上縁部の裏面側を密着した状態で覆う裏面側衿カバーとなる掛け布団の衿カバーであって、前記長方形の前記表面側衿カバーおよび前記裏面側衿カバーの前記上辺部の長さの値は、前記装着対象である掛け布団の上辺部の長さの値よりも小さい値に選ばれており、前記長方形の前記表面側衿カバーおよび前記裏面側衿カバーの下半分側に位置する領域の両側辺部のそれぞれには、当該側辺部の前記表面側衿カバーと前記裏面側衿カバーとの相対向している部分に端部がそれぞれ固定されている平ゴムが１本または並列状態で複数本配設され、前記平ゴムの長さの値は、前記衿カバーの上辺部の中央が前記装着対象である掛け布団の上辺部の中央に一致するように前記衿カバーを前記掛け布団に装着した状態で、前記表面側衿カバーの側辺部の前記平ゴムの一端が固定されている部分から前記掛け布団の側辺部を巡って前記裏面側衿カバーの側辺部の当該平ゴムの他端が固定されている部分に至る最短距離の値よりも小さい値に選ばれていることを特徴とするものである。ここで、前記表面側衿カバーおよび前記裏面側衿カバーの両側辺部のそれぞれに配設されている１本または並列状態で配設されている複数本の前記平ゴムのうち、少なくとも１本の前記平ゴムは、前記長方形の前記表面側衿カバーおよび前記裏面側衿カバーの下辺部付近に配設されていてもよい。
【考案の効果】
【００１１】
本考案によれば、掛け布団が頻繁に動く使用条件下であっても、通常の使用状態では装着されている掛け布団から簡単には外れない衿カバーを提供することができる。
【図面の簡単な説明】
【００１２】
【図１】本考案の実施例１の構成を示した構成図である。
【図２】本考案の実施例１の構成の説明図である。
【図３】本考案の実施例１の構成の説明図である。
【図４】従来の掛け布団の衿カバーの構成の説明図である。
【図５】従来の掛け布団の衿カバーの使用方法の説明図である。
【図６】従来の掛け布団の衿カバーの使用状態の説明図である。
【考案を実施するための形態】
【００１３】
以下、図面を用いて本考案の実施例を説明する。
【実施例１】
【００１４】
図１（ａ），（ｂ）は本考案の実施例１の構成を示したものであり、図１（ａ）は平面構成を示した平面図、図１（ｂ）は斜視図である。
【００１５】
図１（ａ），（ｂ）において、先に説明した従来の衿カバー１０の構成を示した図４と同一符号のものは同一のものを示しているので、その説明は省略する。
【００１６】
以下、本実施例１が、図４に示した従来の衿カバー１０の構成と異なるところを説明する。
【００１７】
本実施例１も従来例と同様に、上辺部１３、側辺部１４，１５、下辺部１６を有する長方形の２枚の布地１１，１２が重なり合う状態となるように構成されている。ただし、本実施例１においては、図４に示した従来の衿カバー１０とは異なり、２枚の布地１１，１２の上辺部１３のみが連設されており、側辺部１４，１５は連設されていない。
【００１８】
この２枚の布地１１，１２は、一方が掛け布団の上縁部の表面側を覆う表面側衿カバーとして使用され、他方が掛け布団の上縁部の裏面側を覆う裏面側衿カバーとして使用されるものである。２枚の布地１１，１２の上辺部１３は、長方形の２枚の布地の上辺部１３を縫い合わせることによって連設してもよいし、また、この布地１１，１２の長方形の２倍の大きさの長方形の布地を半分に折って連設された上辺部１３を形成してもよい。
【００１９】
以下、便宜上、布地１１を表面側衿カバーとし、布地１２を裏面側衿カバーとして説明する。
【００２０】
長方形である表面側衿カバー１１および裏面側衿カバー１２の下半分側に位置する領域の両側辺部１４，１５には、それぞれ平ゴム２３，２４と平ゴム２１，２２とが配設されている。
【００２１】
本明細書で使う用語である「平ゴム」とは、断面の形状が円状の所謂「丸ゴム」に対して用いられる用語であって、断面の形状が扁平である帯状の伸縮自在なゴムの総称であり、「コールゴム（組ゴム）」、「織りゴム」、「編みゴム」等の帯状のゴムを含むものである。
【００２２】
それぞれの平ゴム２１〜２４の両端部は、一端が表面側衿カバー１１の側辺部に固定され、他端が裏面側衿カバー１２の側辺部に固定されている。この平ゴム２１〜２４の両端部が固定されている部分は、表面側衿カバー１１と表面側衿カバー１２との側辺部の相対向する部分に選ばれている。
【００２３】
ここで、図２（ａ）に示したように、表面側衿カバー１１および裏面側衿カバー１２の上辺部１３の長さの値は、装着対象となる掛け布団１の上辺部の長さの値Ｌよりも小さい値に選ばれている。例えば、装着対象である掛け布団１の幅（上辺部の長さ）が１５０ｃｍであれば、上辺部１３の長さは１２０ｃｍ程度に選ばれている。
【００２４】
また、各々の平ゴム２１〜２４の長さの値は、図２（ａ）に示したように、衿カバー１０の上辺部１３の中央が装着対象である掛け布団１の上辺部の中央に一致するように表面側衿カバー１１と裏面側衿カバー１２とで掛け布団１の上縁部を覆った場合、図２（ａ）のＡ−Ａ断面図である図２（ｂ）に示したように、平ゴムの一端が固定される表面側衿カバー１１の側辺部から、掛け布団１の側辺部を巡って平ゴムの他端が固定される裏面側衿カバー１２の側辺部に至る最短距離の値Ｄよりも小さい値に選ばれている。
【００２５】
以上のように構成された本実施例１に係る衿カバー１０を掛け布団１に装着した場合には、図３に示したように、平ゴム２１〜２４と、平ゴム２１〜２４が配設されている表面側衿カバー１１および表面側衿カバー１２の下半分側の領域とによって、その部分が密着している部分の掛け布団１が締め付けられた状態となるために、頻繁に掛け布団１を動かしたとしても、通常の使用状態であれば衿カバー１０が掛け布団１から簡単に外れるようなことはない。
【００２６】
ここで、本実施例１に配設されている平ゴムの本数については、両側辺部１４，１５のそれぞれに１本配設しても、または並列状態で複数本配設しても、本考案の効果を得ることができる。さらに、少なくとも１本の平ゴムを表面側衿カバー１１および裏面側衿カバー１２の下辺部１６付近に配設することにすれば、この下辺部１６付近の布地の捲れを防ぐことができる。
【符号の説明】
【００２７】
１  掛け布団
１０  衿カバー
１１  表面側衿カバー
１２  裏面側衿カバー
１３  上辺部
１４，１５  側辺部
１６  下辺部
２１〜２４  平ゴム
Ｂ  ベッド
Ｄ  最短距離
Ｈ１，Ｈ２  手
Ｌ  長さ
Ｐ  使用者
【図１】
0003211684.tif 000003
【図２】
0003211684.tif 000004
【図３】
0003211684.tif 000005
【図４】
0003211684.tif 000006
【図５】
0003211684.tif 000007
【図６】
0003211684.tif 000008